(57)【要約】【課題】  取付・取外しが容易であり、装飾・広告効果及び断熱効果が良い鱗状の装飾セットを提供する。【解決手段】  物体の表面を装飾する。前後両面を有し、その後面で物体の表面に固定される支持手段１と、可撓性材料からなっていて、支持手段１の前面に平面状に広げられて固定される網目構造の網体２と、鱗状にそれぞれの一部が互いに重ねられ、かつその上部が網体２上に引っ掛けられる複数枚の装飾片３とからなっている鱗状の装飾セット。【選択図】図１
2005280129.tif 000002
【特許請求の範囲】
【請求項１】
物体の表面を装飾する鱗状の装飾セットであって、
前後両面を有し、その後面で前記物体の表面に固定される支持手段と、
可撓性材料からなっていて、前記支持手段の前記前面に平面状に広げられて固定される網目構造の網体と、
鱗状にそれぞれの一部が互いに重ねられ、かつその上部が前記網体上に取り付けられる複数枚の装飾片とからなっていることを特徴とする鱗状の装飾セット。
【請求項２】
物体の表面を装飾する鱗状の装飾セットであって、
前後両面を有し、その後面で前記物体の表面に固定される支持手段と、
可撓性材料からなっていて、前記支持手段の前記前面に平面状に広げられて固定される網目構造の網体と、
それぞれの表面に色が付けられており、これら色の組み合わせにより所定の図形を現出させると共に、それらの裏面が前記網体に面するように、鱗状にそれぞれの一部が互いに重ねられ、且つその上部が前記網体上に取り付けられる複数枚の装飾片とからなっていることを特徴とする鱗状の装飾セット。
【請求項３】
物体の表面を装飾する鱗状の装飾セットであって、
前後両面を有し、その後面で前記物体の表面に固定される支持手段と、
可撓性材料からなっていて、前記支持手段の前記前面に平面状に広げられて固定される網目構造の網体と、
それぞれの表面が光を反射でき、且つ、裏面が前記網体に面するように、鱗状にそれぞれの一部が互いに重ねられて、その上部が前記網体上に取り付けられる複数枚の装飾片とからなっていることを特徴とする鱗状の装飾セット。
【請求項４】
前記支持手段は、距離を空けて前記物体の表面に固定される複数の横材からなっていることを特徴とする請求項３に記載の鱗状の装飾セット。
【請求項５】
前記網体は、金属製であり、
平面状に広げられた前記網体を前記支持手段の前記前面に押し付けて固定するための複数のボルト・座金セットがさらに備えられていることを特徴とする請求項３に記載の鱗状の装飾セット
【請求項６】
前記複数枚の装飾片は、それぞれの上端部に通孔が空けてあり、
この通孔により付設され、それにより前記複数枚の装飾片を前記網体に取り付けるための複数の係止リングがさらに備えられていることを特徴とする請求項３に記載の鱗状の装飾セット。
【請求項７】
前記複数枚の装飾片中の少なくとも一部は、その表面が凸面状であるガラス材からなっており、
これらガラス材からなっている各装飾片と前記物体の表面との間に設けられる複数の発光体が、さらに備えられていることを特徴とする請求項３に記載の鱗状の装飾セット。
【請求項８】
前記複数枚の装飾片のそれぞれの上端部は、前記網体に取り付けられるように鈎状に形成されていることを特徴とする請求項３に記載の鱗状の装飾セット。
【発明の詳細な説明】
【技術分野】
【０００１】
本発明は鱗状の装飾セットに関し、特に壁面やドア、板材、車などの物体の表面を装飾する鱗状の装飾セットに関する。
【背景技術】
【０００２】
従来から、装飾や広告の目的のために、レストランや店の壁面、ドアまたは看板としての板材、広告宣伝車としての車などの物体の表面にペイントで絵を描いたり、タイルや金属板、ガラス玉を貼り付けて装飾することがある（例えば、特許文献１）。
【０００３】
しかしながら、このように装飾や広告のための施工は、すべて工事現場で行わなければならないので、手間がかかる上、後で取替え難いという問題がある。また、装飾が静態であるため、なんら変化がないので、装飾効果や宣伝効果が限られる。
【０００４】
そして、レストランや店の外壁面に装飾を行う時、ペイントによる描写もタイルや金属板の貼り付けも、外壁面に直接的になされるため、レストランや店内の空気の流通性を阻害する上、断熱効果が好くないので、日差しの強い夏季に室内の温度が徐々に高くなるという欠点がある。また、壁面が曲面であれば、平坦でないので、タイルや金属板などの板状物で装飾し難いという欠点もある。
【特許文献１】特開２００１−８８６２４号公報
【発明の開示】
【発明が解決しようとする課題】
【０００５】
そこで、上記従来技術の有する問題点に鑑みて、本発明の第１の目的は、取付・取外しが容易である上、装飾効果が動態である鱗状の装飾セットを提供することにある。
【０００６】
本発明の第２の目的は、被装飾面が平坦でなくても、装飾を容易に行うことができる鱗状の装飾セットを提供することにある。
【０００７】
本発明の第３の目的は、断熱効果および空気の流通性が良い鱗状の装飾セットを提供することにある。
【課題を解決するための手段】
【０００８】
上記課題は、請求項記載の発明により達成される。すなわち、本発明に係る鱗状の装飾セットの特徴構成は、物体の表面を装飾する鱗状の装飾セットであって、前後両面を有し、その後面で前記物体の表面に固定される支持手段と、可撓性材料からなっていて、前記支持手段の前記前面に平面状に広げられて固定される網目構造の網体と、鱗状にそれぞれの一部が互いに重ねられ、かつその上部が前記網体上に取り付けられる複数枚の装飾片とからなっていることにある。
【０００９】
このような鱗状の装飾セットは、先に複数枚の装飾片を網体上に引っ掛け等して取り付けておき、工事現場で支持手段を物体の表面に固定した後、複数枚の装飾片が取り付けられた網体を、支持手段上に固定することによって、取付けを完成することができるので、取付も取外しも容易となる。
【００１０】
更に、本発明に係る鱗状の装飾セットの特徴構成は、物体の表面を装飾する鱗状の装飾セットであって、前後両面を有し、その後面で前記物体の表面に固定される支持手段と、
可撓性材料からなっていて、前記支持手段の前記前面に平面状に広げられて固定される網目構造の網体と、それぞれの表面に色が付けられており、これら色の組み合わせにより所定の図形を現出させると共に、それらの裏面が前記網体に面するように、鱗状にそれぞれの一部が互いに重ねられ、且つその上部が前記網体上に取り付けられる複数枚の装飾片とからなっていてもよい。
【００１１】
このようになっていると、複数枚の装飾片がそれぞれの表面に色が付けられた前記色の組み合わせにより所定の文字や図案などの図形を現出させることができるので、広告や装飾効果に優れる。
【００１２】
そして、複数枚の装飾片は風によって揺れ動くことができるので、装飾片の表面が鏡面のような反射面に仕上げられていると、多方面に頻繁に光を反射してピカピカと輝き、また、図案付けられれば動態的な感覚が生起されて、装飾効果が動態的になり、美麗であるのみならず、看者の注意を引き易くなる。
【００１３】
更に又、本発明に係る鱗状の装飾セットの特徴構成は、物体の表面を装飾する鱗状の装飾セットであって、前後両面を有し、その後面で前記物体の表面に固定される支持手段と、
可撓性材料からなっていて、前記支持手段の前記前面に平面状に広げられて固定される網目構造の網体と、それぞれの表面が光を反射でき、且つ、裏面が前記網体に面するように、鱗状にそれぞれの一部が互いに重ねられて、その上部が前記網体上に取り付けられる複数枚の装飾片とからなっていてもよい。
【００１４】
このようになっていると、複数枚の装飾片がそれぞれの表面が光を反射できるので、きらきらと輝いて美麗のみならず、断熱効果を一層に高めることができる。
【００１５】
そして、上記したと同様に、複数枚の装飾片は風によって揺れ動くことができるので、装飾片の表面が鏡面のような反射面に仕上げられていると光輝き、また、図案付けられれば動態的な感覚が生起されて、装飾効果が動態的になり、美麗で看者の注意を引き易い。
【００１６】
なお、本明細書で物体とは、壁面やドア、板材、車などの装飾される必要があるものを指す。
【００１７】
支持手段としては、複数の横材、複数の縦材、複数のブロック材または方形のフレーム材などを使用することができる。
【００１８】
支持手段として複数の横材や縦材、ブロック材を使用するとき、距離を空けて前記物体の表面に固定され、かつ網体が可撓性を有するものであると、被装飾面が平坦でなくても、装飾を容易に行うことができる。
【００１９】
そして、支持手段および網体の設置により、複数枚の装飾片が物体の表面に直接に貼り付けられず、かつ網体が網目構造をしているので、断熱効果を有する上、空気の流通性がよく、日差しの強い夏季にも室内を涼しく保つことができる。また、網体は可撓性を有するため、折畳み可能となり、携帯にも便利である。
【００２０】
上記したように、本発明の鱗状の装飾セットは、取付・取外しが容易であり、装飾効果が動態であり、断熱効果および空気の流通性が良いなどの種々な利点を有する。
【発明を実施するための最良の形態】
【００２１】
以下、図面を参照しながら本発明に係る鱗状の装飾セットの好ましい実施形態を詳しく説明する。なお、以下の説明においては、そのサイズに拘わらず、略同一の機能および構成を有する構成要素については、同一符号を付し、重複説明は必要な場合にのみ行う。
＜実施形態例１＞
図１は、すでに壁面に取り付けられている、本実施形態例の鱗状の装飾セットを示す斜視図であり、図２は本実施形態例の分解斜視図であり、図３は本実施形態例の組立後の側断面図である。
【００２２】
図に示すように、この鱗状の装飾セットは、主として支持手段１と、網目構造の網体２と、複数枚の装飾片３とを備えて構成されている。
【００２３】
支持手段１は、距離を空けて壁面４に固定されている複数の横材１０からなっている。これら複数の横材１０は、いずれも前後両面１０１，１０２を有し、かつ複数のねじ１１により、その後面１０２で壁面４に固定されている。本実施形態において、複数の横材１０は木材からなっている。
【００２４】
網目構造の網体２は、可撓性材料からなっていて、方形の網目を有し、かつ平面状に広げられてから複数のボルト・座金セット１２，１３によって、複数の横材１０を覆うように、複数の横材１０の前面１０１に押し付けられて固定されている。
【００２５】
本実施形態において、網体２は金属材からなっているが、これに限定されるものではなく、プラスチック材などとからなっていてもよい。
【００２６】
そして、複数枚の装飾片３は、それぞれの表面３１が光を反射でき、且つ、裏面３２が網体２に面するように鱗状になっていて、それぞれの一部が互いに重ねられて、その上部が網体２上に引っ掛けられて取り付けられている。
【００２７】
複数枚の装飾片３の表面３１は、電気めっき、吹付けや焼付け塗装、印刷などの特殊処理を施すことにより、光を反射できるようになっている。
【００２８】
より詳しく説明すると、複数枚の装飾片３は、いずれも鱗形であり、それぞれの上端部に通孔３３が空けてあり、かつ網体２全体を覆うように複数の係止リング３４により、網体２の針金上に引っ掛けられている。
【００２９】
このように複数枚の装飾片３が互いに重ねられているので、最も上の１列を除き、大部分の係止リング３４が装飾片３に遮蔽される。
【００３０】
本実施形態において、複数枚の装飾片３は金属材からなっているが、それに限らず、ガラス材やプラスチック材、木材、セラミック、竹材、紙、貝殻などとからなっていてもよい。
【００３１】
複数枚の装飾片３の材質および表面３１の色を、所定の文字や図案などの図形を現出させることができるように組み合わせると、さらに特殊な装飾や広告効果を有する。
【００３２】
鱗状の装飾セットの壁面４への取付は、先に複数枚の装飾片３を逐一に網体２上に引っ掛けておいた後、工事現場で複数の横材１０及び複数枚の装飾片３が引っ掛けられた網体２を壁面４に固定することにより完成することができる。
【００３３】
このような鱗状の装飾セットは、光を反射できるのみでなく、風に揺さぶられることもできるので、装飾効果および断熱効果が高められる。
【００３４】
また、前記実施形態において被装飾物としての物体は壁面であるが、それに限らず、ドア、板材、車などであってもよい。支持手段１は複数の横材１０からなっているが、それに限らず、複数の縦材、複数のブロック材または１つの方形のフレーム材からなってもよい。
＜実施形態例２＞
図４は、すでに壁に取り付けられている、本実施形態例の鱗状の装飾セットを示す前面図である。この実施形態の上記実施形態例１と異なる点は、各装飾片３の形状が略方形であることにある。
＜実施形態例３＞
図５は、すでに壁に取り付けられている、本実施形態例の鱗状の装飾セットを示す前面図である。この実施形態の上記実施形態例１と異なる点は、各装飾片３の形状が略菱形であることにある。
＜実施形態例４＞
図６は、すでに壁に取り付けられている、本実施形態例の鱗状の装飾セットを示す側断面図である。この実施形態の上記実施形態例１と異なる点は、複数枚の装飾片３中の少なくとも一部がその表面が凸面状であるガラス材からなっており、また、ガラス材からなっている各装飾片３と壁面４との間に、それぞれＬＥＤなどの発光体５が付設されていることにある。
＜実施形態例５＞
図７は、本実施形態例の鱗状の装飾セットにおける各装飾片を示す拡大図である。この実施形態の上記実施形態例１と異なる点は、複数枚の装飾片３のそれぞれの上端部に通孔３３が空けられておらず、網体２を引っ掛けることができる鈎状に形成されていることにある。
【産業上の利用可能性】
【００３５】
叙上のように、本発明の鱗状の装飾セットは、取付・取外しが容易である上、装飾効果がよいので、壁面やドア、板材などの各種建築物の内外装材、広告塔などの各種広告媒体の表面、各種車両などの物体の内外表面などを装飾することに広く利用できる。
【００３６】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００３７】
【図１】本発明に係る実施形態例１の鱗状の装飾セットが壁に取り付けられている状態を示す斜視図
【図２】実施形態例１の分解斜視図
【図３】実施形態例１の組立後の側断面図
【図４】本発明に係る実施形態例２の鱗状の装飾セットが壁に取り付けられている状態を示す正面図
【図５】本発明に係る実施形態例３の鱗状の装飾セットが壁に取り付けられている状態を示す正面図
【図６】本発明に係る実施形態例４の鱗状の装飾セットが壁に取り付けられている状態を示す側断面図
【図７】本発明に係る実施形態例５の鱗状の装飾セットにおける各装飾片を示す拡大図
【符号の説明】
【００３８】
１        支持手段
１０      横材
１０１    前面
１０２    後面
１１      ねじ
１２      ボルト
１３      座金
２        網体
３        装飾片
３１      表面
３２      裏面
３３      通孔
３４      係止リング
４        壁面
５        発光体
【図１】
2005280129.tif 000003
【図２】
2005280129.tif 000004
【図３】
2005280129.tif 000005
【図４】
2005280129.tif 000006
【図５】
2005280129.tif 000007
【図６】
2005280129.tif 000008
【図７】
2005280129.tif 000009